(57)【要約】      （修正有）【課題】組み立てが容易であり、組み立て時には十分に広い居住スペースを確保しつつ、分解時に運搬が容易な簡易家屋を提供する。【解決手段】樹脂製の床パーツ２０、天井パーツ３０、第１複合パーツ４０および第２複合パーツ５０を有し、床パーツ２０は、床の一部をなす板状の部材である。第１複合パーツ４０は、床パーツ２０および天井パーツ３０の一方の長辺側に配置され、第２複合パーツ５０は、床パーツ２０および天井パーツ３０の他方の長辺側に配置される。床パーツ２０の長辺側と、第１複合パーツ４０とが連結可能に構成され、天井パーツ３０の長辺側と、第１複合パーツ４０とが連結可能に構成され、床パーツ２０の長辺側と、第２複合パーツ５０とが連結可能に構成され、天井パーツ３０の長辺側と、第２複合パーツ５０とが連結可能に構成される。【選択図】図１
2020084553.tif 000002
【特許請求の範囲】
【請求項１】
床の一部をなす板状の床パーツと、
天井の一部をなす板状の領域と、前記領域の正面側の端から屈曲して延在し、正面壁の一部をなす領域と、前記領域の背面側の端から屈曲して延在し、背面壁の一部をなす領域とを有する天井パーツと、
前記床パーツおよび前記天井パーツの一方の長辺側に配置され、一方の外壁全体、前記床の一部、前記天井の一部、前記正面壁の一部および前記背面壁の一部をなす第１複合パーツと、
前記床および前記天井の他方の長辺側に配置され、他方の外壁全体、前記床の一部、前記天井の一部、前記正面壁の一部および前記背面壁の一部をなす第２複合パーツと、
を備え、
前記床パーツ、前記天井パーツ、前記第１複合パーツおよび前記第２複合パーツが樹脂であり、
前記床パーツの一方の長辺側の側面と、前記第１複合パーツの前記床の一部をなす部分とが連結可能に構成され、
前記天井パーツの一方の長辺側の側面と、前記第１複合パーツの前記天井の一部をなす部分側面とが連結可能に構成され、
前記床パーツの他方の長辺側の側面と、前記第２複合パーツの前記床の一部をなす部分とが連結可能に構成され、
前記天井パーツの他方の長辺側の側面と、前記第２複合パーツの前記天井の一部をなす部分側面とが連結可能に構成される簡易家屋。
【請求項２】
前記第１複合パーツは、
前記一方の外壁全体をなす第１側面部と、
前記第１側面部の下端から屈曲して延在し、前記床の一部をなす第１床部と、
前記第１側面部の上端から屈曲して延在し、前記天井の一部をなす第１天井部と、
前記第１側面部、前記第１床部および前記第１天井部の正面側の端から屈曲して延在し、正面壁の一部をなす第１正面部と、
前記第１側面部、前記第１床部および前記第１天井部の背面側の端から屈曲して延在し、背面壁の一部をなす第１背面部と、
を有し、
前記第２複合パーツは、
前記他方の外壁全体をなす第２側面部と、
前記第２側面部の下端から屈曲して延在し、前記床の一部をなす第２床部と、
前記第２側面部の上端から屈曲して延在し、前記天井の一部をなす第２天井部と、
前記第２側面部、前記第２床部および前記第２天井部の正面側の端から屈曲して延在し、正面壁の一部をなす第２正面部と、
前記第２側面部、前記第２床部および前記第２天井部の背面側の端から屈曲して延在し、背面壁の一部をなす第２背面部と、
を有し、
前記床パーツの一方の長辺側の側面と、前記第１床部の側面とが連結可能に構成され、
前記天井パーツの一方の長辺側の側面と、前記第１天井部の側面とが連結可能に構成され、
前記床パーツの他方の長辺側の側面と、前記第２床部の側面とが連結可能に構成され、
前記天井パーツの他方の長辺側の側面と、前記第２天井部の側面とが連結可能に構成されている簡易家屋。
【請求項３】
第１複合パーツがなす一方の外壁に鉛直方向にリブ状の補強部が形成されており、
第２複合パーツがなす他方の外壁に鉛直方向にリブ状の補強部が形成されている請求項１または２に記載の簡易家屋。
【請求項４】
前記正面壁に開口が形成され、
前記正面壁の前記開口の下端が前記床パーツの一方の短辺で規定され、
前記正面壁の前記開口の上端が前記天井パーツの一方の短辺で規定され、
前記正面壁の前記開口の一方の側端が第１複合パーツがなす正面壁の一部の端部により規定され、
前記正面壁の前記開口の他方の側端が第２複合パーツがなす正面壁の一部の端部により規定される請求項１乃至３のいずれか１項に記載の簡易家屋。
【請求項５】
前記背面壁に開口が形成され、
前記背面壁の前記開口の下端が前記床パーツの他方の短辺で規定され、
前記背面壁の前記開口の上端が前記天井パーツの他方の短辺で規定され、
前記背面壁の前記開口の一方の側端が第２複合パーツがなす背面壁の一部の端部により規定され、
前記背面壁の前記開口の他方の側端が第２複合パーツがなす背面壁の一部の端部により規定され、
前記背面壁の前記開口に面材が填め込まれている請求項１乃至４のいずれか１項に記載の簡易家屋。
【請求項６】
前記天井パーツに明かり取り用の開口が形成されている請求項１乃至５のいずれか１項に記載の簡易家屋。
【請求項７】
前記明かり取り用の開口の周囲にリブ状の補強部が形成されている請求項６に記載の簡易家屋。
【請求項８】
前記第１複合パーツがなす一方の側壁、前記第２複合パーツがなす他方の側壁の少なくとも一方に窓用の開口が形成されている請求項１乃至７のいずれか１項に記載の簡易家屋。
【請求項９】
前記窓用の開口の周囲にリブ状の補強部が形成されている請求項８に記載の簡易家屋。
【発明の詳細な説明】
【技術分野】
【０００１】
本発明は、簡易家屋に関する。
【背景技術】
【０００２】
地震や台風による自然災害の頻度が高まり、被害の規模も大きくなる傾向にある。このため、被災地や避難場所で簡単に組み立て可能な簡易家屋（防災ハウス）に対する要望が高まっている。特許文献１には、柱状部材を組み合わせて正面ユニット、背面ユニットおよび側面ユニットを形成し、各ユニット同士がコーナー柱を介して連結される組立家屋が開示されている。
【先行技術文献】
【特許文献】
【０００３】
【特許文献１】特開２００２−０２１１９１号公報
【発明の概要】
【発明が解決しようとする課題】
【０００４】
従来の簡易家屋は、多数のパーツを必要とするため、組み立てが必ずしも容易とは言えず、被災地などの要望に応じて迅速に組み立てて供給することが困難であった。
また、従来の簡易家屋では、組み立て時には十分に広い居住スペースを確保しつつ、分解時には運搬を容易とすることが難しかった。
そこで、本発明は、組み立てが容易であり、組み立て時には十分に広い居住スペースを確保しつつ、分解時に運搬が容易な簡易家屋に関する技術を提供することを目的とする。
【課題を解決するための手段】
【０００５】
本発明のある態様は、簡易家屋である。当該簡易家屋は、床の一部をなす板状の床パーツと、天井の一部をなす板状の領域と、前記領域の正面側の端から屈曲して延在し、正面壁の一部をなす領域と、前記領域の背面側の端から屈曲して延在し、背面壁の一部をなす領域とを有する天井パーツと、前記床パーツおよび前記天井パーツの一方の長辺側に配置され、一方の外壁全体、前記床パーツの一部、前記天井パーツの一部、前記正面壁の一部および前記背面壁の一部をなす第１複合パーツと、前記床および前記天井の他方の長辺側に配置され、他方の外壁全体、前記床の一部、前記天井の一部、前記正面壁の一部および前記背面壁の一部をなす第２複合パーツと、を備え、前記床パーツ、前記天井パーツ、前記第１複合パーツおよび前記第２複合パーツの材料が樹脂であり、前記床パーツの一方の長辺側の側面と、前記第１複合パーツの前記床の一部をなす部分とが連結可能に構成され、前記天井パーツの一方の長辺側の側面と、前記第１複合パーツの前記天井の一部をなす部分側面とが連結可能に構成され、前記床パーツの他方の長辺側の側面と、前記第２複合パーツの前記床の一部をなす部分とが連結可能に構成され、前記天井パーツの他方の長辺側の側面と、前記第２複合パーツの前記天井の一部をなす部分側面とが連結可能に構成される。
【発明の効果】
【０００６】
本発明の簡易家屋は組み立てが容易であり、組み立て時には十分に広い居住スペースを確保しつつ、分解時に運搬を容易とすることができる。
【図面の簡単な説明】
【０００７】
【図１】図１（ａ）は、実施形態に係る簡易家屋の正面側斜視図である。図１（ｂ）は、実施形態に係る簡易家屋の背面側斜視図である。
【図２】実施形態に係る簡易家屋の分解斜視図である。
【図３】実施形態に係る簡易家屋の底面図である。
【図４】実施形態に係る簡易家屋の平面図である。
【図５】実施形態に係る簡易家屋の左側面図である。
【図６】実施形態に係る簡易家屋の右側面図である。
【図７】実施形態に係る簡易家屋の正面図である。
【図８】実施形態に係る簡易家屋の背面図である。
【図９】図５のＡ−Ａ線に沿った断面図である。
【図１０】図７のＢ−Ｂ線に沿った断面図である。
【図１１】図１１（ａ）は、床パーツ、天井パーツ、第１複合パーツおよび第２複合パーツの寸法の一例を示す正面図である。図１１（ｂ）は、天井パーツ、第１複合パーツおよび第２複合パーツの寸法の一例を示す平面図である。図１１（ｃ）は、天井パーツ、および第１複合パーツの寸法の一例を示す左側面図である。
【図１２】図１２（ａ）は、分解された状態の各パーツをコンテナに搭載した状態を示す正面図である。図１２（ｂ）は、分解された状態の各パーツをコンテナに搭載した状態を示す平面図である。図１２（ｃ）は、分解された状態の各パーツをコンテナに搭載した状態を示す左側面図である。
【発明を実施するための形態】
【０００８】
以下、本発明の実施形態について、図１〜図１０に基づいて詳細に説明する。
【０００９】
図１（ａ）および図１（ｂ）に示すように、簡易家屋１０は、床パーツ２０、天井パーツ３０、第１複合パーツ４０および第２複合パーツ５０を備える。本実施形態の簡易家屋１０を構成する各パーツは、樹脂で形成される。当該樹脂は、発泡スチロール、発泡ポリエチレン、発泡ポリプロピレン、発泡エチレン−酢酸ビニル共重合体、発泡ポリ塩化ビニル、発泡ウレタン、発泡フェノール樹脂および発泡アクリル樹脂からなる群より選ばれる。発泡スチロールを用いる場合、その発泡倍率は１０倍以上６０倍以下であることが好ましい。これにより、簡易家屋１０の強度を高めることができる。
【００１０】
図３に示すように、床パーツ２０は、主表面を平面視したときの形状が長方形である板状の部材であり、簡易家屋１０の床の一部を構成する。
図１０に示すように、床パーツ２０の両長辺側面にそれぞれ凸サネ２１、２２が形成されている。
【００１１】
図４、図９に示すように、天井パーツ３０は、簡易家屋１０に組み込んだときに、略水平となるように設置される短冊状または板状の領域Ｒ３０と、領域Ｒ３０の長手方向の両端部から、それぞれ室内側に屈曲する領域Ｒ３２、Ｒ３４を有する。
【００１２】
図１０に示すように、天井パーツ３０の領域Ｒ３０の両長辺側面にそれぞれ凸サネ３１、３２が形成されている。
【００１３】
領域Ｒ３２、Ｒ３４は、簡易家屋１０に組み込んだときに、室内側に屈曲するように設計されている。領域Ｒ３２は、正面壁の一部をなし、天井パーツ３０の一方の短辺は、後述する正面壁の開口（入り口）６０の上端に位置する。領域Ｒ３４は、背面壁の一部をなし、天井パーツ３０の他方の短辺は、後述する背面壁の開口７０の上端に位置する。
【００１４】
天井パーツ３０に、必要に応じて、明かり取り用の開口３３を設け、開口３３にガラス窓を填め込んでもよい。天井パーツ３０に明かり取り用の開口３３を設ける場合には、当該開口の縁に沿ってリブ状の補強部３４を設けてもよい。これによれば、開口３３を形成することにより、天井パーツ３０、ひいては簡易家屋１０の強度が低下することを抑制することができる。
【００１５】
図１（ａ）、図１（ｂ）、図１０に示すように、第１複合パーツ４０は、床パーツ２０および天井パーツ３０の一方の長辺側に配置され、簡易家屋１０の左側壁全体と、左側壁に連結する天井、床、正面壁および背面壁の一部を構成する。具体的には、第１複合パーツ４０は、側面部４１、床部４２、天井部４３、正面部４４、背面部４５を有する。
【００１６】
側面部４１は、簡易家屋１０の左側壁全体に相当する。側面部４１の表面は、最下部から床部４２の厚さより高い位置まで鉛直方向と略平行な領域Ｒ４０を有し、当該領域Ｒ４０より上方では、簡易家屋１０の室内側に、たとえば、０〜３０度傾斜した領域Ｒ４１を有する。側面部４１には、窓用の開口４６が形成されていてもよい。
【００１７】
図１０に示すように、床部４２は、側面部４１の下端からＬ字状に屈曲延在する板状部であり、簡易家屋１０の床の一部となる。床部４２の厚さは、床パーツ２０の厚さと同等である。床部４２の側面には、凹サネ４７が形成されており、床パーツ２０の左側面の凸サネ２１と係合させることにより、床パーツ２０と床部４２とが連結可能となっている。
【００１８】
図１０に示すように、天井部４３は、側面部４１の上端部から室内側に屈曲した領域Ｒ４２と、当該領域の室内側の端部から屈曲し、簡易家屋１０に組み込まれたときに、主面が略水平になるように配置される領域Ｒ４３とを有する。天井部４３の領域Ｒ４３の側面には凹サネ４８が形成されており、天井パーツ３０の左側面の凸サネ３１と係合させることにより、天井パーツ３０と天井部４３とが連結可能となっている。
【００１９】
側面部４１の領域Ｒ４１および天井部４３の領域Ｒ４２には、鉛直方向に延在するリブ状の補強部８０が複数設けられている。補強部８０により、第１複合パーツ４０の強度、ひいては簡易家屋１０の強度が高められる。側面部４１に窓用の開口４６を設ける場合には、補強部８０を窓用の開口４６の鉛直方向の端部に沿って設けることが好ましい。また、窓用の開口４６の水平方向の端部に沿ってリブ状の補強部８２を設けることが好ましい。これによれば、窓用の開口４６を形成することにより、第１複合パーツ４０の強度、ひいては簡易家屋１０の強度が低下することを抑制することができる。
【００２０】
正面部４４は、側面部４１および天井部４３の正面側の端部から室内側に屈曲している。図７に示すように、正面部４４の鉛直方向に沿った端部は、正面壁の開口（入り口）６０の右端になるように設計されている。図１（ａ）に示すように、側面部４１および天井部４３近傍の正面部４４は面取りされていてもよい。
【００２１】
背面部４５は、側面部４１および天井部４３の背面側の端部から室内側に屈曲している。図８に示すように、背面部４５の鉛直方向に沿った端部は、背面壁の開口７０の左端になるように設計されている。図１（ｂ）に示すように、側面部４１および天井部４３近傍の背面部４５は面取りされていてもよい。
【００２２】
図１（ａ）、図１（ｂ）、図１０に示すように、第２複合パーツ５０は、床パーツ２０および天井パーツ３０の他方の長辺側に配置され、簡易家屋１０の右側壁全体と、右側壁に連結する天井、床、正面壁および背面壁の一部を構成する。具体的には、第２複合パーツ５０は、側面部５１、床部５２、天井部５３、正面部５４、背面部５５を有する。
【００２３】
側面部５１は、簡易家屋１０の右側壁全体に相当する。側面部５１の表面は、最下部から床部５２の厚さより高い位置まで鉛直方向と略平行な領域Ｒ５０を有し、当該領域Ｒ５０より上方では、簡易家屋１０の室内側に、たとえば、０〜３０度傾斜した領域Ｒ５１を有する。側面部５１には、窓用の開口５６が形成されていてもよい。
【００２４】
図１０に示すように、床部５２は、側面部５１の下端からＬ字状に屈曲延在する板状部であり、簡易家屋１０の床の一部となる。床部５２の厚さは、床パーツ２０の厚さと同等である。床部５２の側面には、凹サネ５７が形成されており、床パーツ２０の右側面の凸サネ２２と係合させることにより、床パーツ２０と床部５２とが連結可能となっている。
【００２５】
図１０に示すように、天井部５３は、側面部５１の上端部から室内側に屈曲した領域Ｒ５２と、当該領域の室内側の端部から屈曲し、簡易家屋１０に組み込まれたときに、主面が略水平になるように配置される領域Ｒ５３とを有する。天井部５３の領域Ｒ５３の側面には凹サネ５８が形成されており、天井パーツ３０の右側面の凸サネ３２と係合させることにより、天井パーツ３０と天井部５３とが連結可能となっている。
【００２６】
側面部５１の領域Ｒ５１および天井部５３の領域Ｒ５２には、鉛直方向に延在するリブ状の補強部９０が複数設けられている。補強部８０により、第２複合パーツ５０の強度、ひいては簡易家屋１０の強度が高められる。側面部５１に窓用の開口５６を設ける場合には、補強部９０を窓用の開口５６の鉛直方向の端部に沿って設けることが好ましい。また、窓用の開口５６の水平方向の端部に沿ってリブ状の補強部９２を設けることが好ましい。これによれば、窓用の開口５６を形成することにより、第２複合パーツ５０の強度、ひいては簡易家屋１０の強度が低下することを抑制することができる。
【００２７】
正面部５４は、側面部５１および天井部５３の正面側の端部から室内側に屈曲している。図７に示すように、正面部５４の鉛直方向に沿った端部は、正面壁の開口（入り口）６０の左端になるように設計されている。図１（ａ）に示すように、側面部５１および天井部５３近傍の正面部５４は面取りされていてもよい。
【００２８】
背面部５５は、側面部５１および天井部５３の背面側の端部から室内側に屈曲している。図８に示すように、背面部５５の鉛直方向に沿った端部は、背面壁の開口７０の右端になるように設計されている。図１（ｂ）に示すように、側面部５１および天井部５３近傍の背面部５５は面取りされていてもよい。
【００２９】
図７に示すように、簡易家屋１０の正面側（正面壁）には、床パーツ２０、天井パーツ３０、第１複合パーツ４０の天井部４３および正面部４４、ならびに第２複合パーツ５０の天井部５３および正面部５４の端部に取り囲まれた開口（入り口）６０が形成される。なお、開口６０の縁に沿ってリブ状の補強部６２を設けてもよい。これによれば、開口６０を形成することにより、簡易家屋１０の強度が低下することを抑制することができる。開口６０には、ドアなどの建具（図示せず）を取り付けてもよい。これによれば、簡易家屋１０の室内を外気から保護したり、簡易家屋１０を利用する生活者のプライバシーを保護しやすくすることができる。
【００３０】
図８に示すように、簡易家屋１０の背面側（背面壁）には、床パーツ２０、天井パーツ３０、第１複合パーツ４０の天井部４３および背面部４５、ならびに第２複合パーツ５０の天井部５３および背面部５５の端部に取り囲まれた開口７０が形成される。当該開口には、はめ殺しとなる面材７１が設置されている。面材７１は必要に応じて取り外してもよい。たとえば、２棟の簡易家屋１０の開口７０が対向するにように配置し、面材７１が外された開口７０同士を連通させることにより、室内面積を増大させることができる。
【００３１】
なお、開口７０の縁に沿ってリブ状の補強部７２を設けてもよい。これによれば、開口７０を形成することにより、簡易家屋１０の強度が低下することを抑制することができる他、上述したように、２棟の簡易家屋１０の開口７０が対向するにように配置したときの連結部としての役割を持たせることができる。
【００３２】
図１１（ａ）〜（ｃ）は、床パーツ２０、天井パーツ３０、第１複合パーツ４０および第２複合パーツ５０の寸法の一例を示す図である。図１１に示す寸法に各パーツを設計すると、床面積を１０ｍ２とすることができる。
【００３３】
図１２（ａ）〜（ｃ）は、図１１に示した寸法の各パーツを分解し、幅２３５２ｍｍ、高さ２６９０ｍｍ、長さ１２０３２ｍｍの４０フィートコンテナ（ハイキューブタイプ）１００に搭載した状態を示す。図１２（ａ）〜（ｃ）に示すように、床パーツ２０および天井パーツ３０の主表面が鉛直方向になるように立て、第１複合パーツ４０と第２複合パーツ５０の間に配置することにより、各パーツを幅２３５２ｍｍの４０フィートコンテナ１００内に収めることができる。なお、面材７１は取り外すことにより、第２複合パーツ５０の内部に収めることができる。
また、第１複合パーツ４０と第２複合パーツ５０の長さが４５５０ｍｍの場合には、長さ１２０３２ｍｍの４０フィートコンテナ１００に２棟分のパーツを収めることができる。
【００３４】
以上説明した簡易家屋１０によれば、床パーツ２０、天井パーツ３０、第１複合パーツ４０および第２複合パーツ４０からなる４つのパーツを組み合わせるだけで簡便に設置することができる。
各パーツが樹脂で形成されているため軽量であり、断熱性に優れるとともに、運搬が容易である。４つのパーツを組み合わせにより床面積を十分に確保しつつ、各パーツを分解することでコンパクトにすることができるため、コンテナなどによる輸送に適している。
【００３５】
以上、本発明の実施形態について述べたが、これらは本発明の例示であり、上記以外の様々な構成を採用することもできる。
【符号の説明】
【００３６】
１０  簡易家屋、２０  床パーツ、３０  天井パーツ、３３  開口、３４  補強部、４０  第１複合パーツ、４１  側面部、４２  床部、４３  天井部、４４  正面部、４５  背面部、４６  開口、５０  第２複合パーツ、５１  側面部、５２  床部、５３  天井部、５４  正面部、５５  背面部、５６  開口、６０  開口、６２  補強部、７０  開口、７１  面材、７２  補強部、８０  補強部、８２  補強部、９０  補強部、９２  補強部、１００  ４０フィートコンテナ
【図１】
2020084553.tif 000003
【図２】
2020084553.tif 000004
【図３】
2020084553.tif 000005
【図４】
2020084553.tif 000006
【図５】
2020084553.tif 000007
【図６】
2020084553.tif 000008
【図７】
2020084553.tif 000009
【図８】
2020084553.tif 000010
【図９】
2020084553.tif 000011
【図１０】
2020084553.tif 000012
【図１１】
2020084553.tif 000013
【図１２】
2020084553.tif 000014